【事件の表示】
　平成　８年特許願第　１８１８５号「カラーフィルター」拒絶査定不服審判事件〔平成　９年　７月２２日出願公開、特開平　９−１８９９０４〕について、次のとおり審決する。
【結　論】
　本件審判の請求は、成り立たない。
【理　由】
１．手続の経緯
　本願は、平成８年１月８日の出願であって、平成１６年９月２９日付で拒絶査定がなされ、これに対し、同年１１月２日に拒絶査定に対する審判請求がなされるとともに、同年１１月３０日付けで手続補正がなされたものである。
　　
２．平成１６年１１月３０日付の手続補正についての補正却下の決定
［補正却下の決定の結論］
　平成１６年１１月３０日付の手続補正（以下、「本件補正」という。）を却下する。
［理由］
２．１　本件補正後の本件発明について 
 　本件補正は、補正前の特許請求の範囲の記載の内、
「【請求項２】　基板上に着色画素が規則正しく整列し、同時にブラックマトリックスからなるカラーフィルターにおいて、該着色画素のパターンと該ブラックマトリックスのパターンの端部が重畳してなり、その重畳寸法が１．０μｍ乃至９．０μｍであり、該着色画素と該ブラックマトリックスの端部が重なった部分の盛り上がりが各着色画素の膜厚に対して、０．４μｍ以下であり、前記盛り上がった部分を除く各着色画素の膜厚とブラックマトリックスの膜厚が略同一であることを特徴とするカラーフィルター。」とあるのを、
　　
「【請求項２】　基板上に着色画素が規則正しく整列し、同時にブラックマトリックスからなるカラーフィルターにおいて、
少なくとも該着色画素又は該ブラックマトリックスが顔料分散型感光性樹脂で構成され、前記顔料分散型感光性樹脂のプリベーク温度を制御することにより、
　
　上記補正は、補正前の請求項２に係る「少なくとも該着色画素又は該ブラックマトリックス」が、「顔料分散型感光性樹脂で構成され」ること、及び「着色画素のパターンとブラックマトリックスのパターンの端部の重畳」が、「顔料分散型感光性樹脂のプリベーク温度を制御することにより」行われること、をそれぞれ限定するものであって、特許法第１７条の２第４項第２号に規定された特許請求の範囲の減縮を目的とするものに該当する。
　
　そこで、本件補正後の請求項２に記載された発明（以下、「本件補正発明」という。）が特許出願の際独立して特許を受けることができるものであるか（特許法第１７条の２第５項において準用する同法第１２６条第５項の規定に適合するか）について以下に検討する。 
 
２．２　引用文献の記載事項 
　
（１）原査定の理由で引用された国際公開第９５／３４０２１号パンフレット（以下、「引用文献」という。）には、図面と共に次の事項が記載されている。
　
ａ．「したがって、合成樹脂で形成されたブラックマトリックスとカラーフィルタでは、その膜厚を小さくすることにある程度の限界がある。その膜厚の限界などの観点から、液晶層のギャップを均一化するためには、ブラック
マトリックスの幅やカラーフィルタの幅を最適化する必要がある。また、従来技術では、ブラックマトリックス層とカラーフィルタ層とを理想的なプロセスによって完全に分離区画することを前提としているが、格子形状のＢＭを使用する場合にはブラックマトリックスの上にカラーフィルタが重畳されている部分があることが重要である。しかしながら、上述したように相互に隣接する画素ドットの各カラーフィルタを無造作にブラックマトリックスの上で重ねると、製造プロセス上の原因からブラックマトリックスの上で隣接する画素ドット間の各カラーフィルタが連続してしまう。その連続した部分は急峻な山状の突起となり、その結果、各画素の中心部である谷部とＢＭ上の上記連続した部分の山部との差が大きくなり、平坦化するための保護膜をカラーフィルタの上に形成しても、上述した局所的な輝度むらを生じることとなる。 そこで、本発明の目的は、合成樹脂で形成された格子形状のブラックマトリックスと、各画素ごとに分離されたカラーフィルタとから形成されるカラーフィルタ層の平坦化を高めることにより、液晶層のギャップの均一化による一層の表示品質を高めた液晶表示装置を提供することにある。」（３頁１０行〜４頁６行）
　
ｂ．「〔発明の開示〕 上記目的を達成するために、本発明の液晶表示装置は、液晶を介して相互に対向する一対の透明基板を備えた単純マトリックス型ＳＴＮカラーの液晶表示装置であって、表示窓側の第１の透明基板であって、液晶と接する面に少なくとも走査電極群と合成樹脂で形成されたカラーフィルタ層とが形成された第１の透明基板と、上記液晶と接する面に少なくとも上信号電極群及び下信号電極群からなる信号電極群が形成された第２の透明基板とを具備し、上記カラーフィルタ層は、格子形状のブラックマトリックスと、各画素形成領域毎に独立して形成された複数のカラーフィルタ部であって各カラーフィルタの周辺が上記ブラックマトリックスに重畳され、かつ、相互に隣接配置される各カラーフィルタが間隙を有して形成されているカラーフィルタ部とから構成される。  また、顔料や炭素等を所定の割合で混入させた合成樹脂からなる上記ブラックマトリックスの膜厚を例えば０．７〜１．３μｍ（特に、好ましくは０．７〜１．２μｍ）とするようにし、上記カラーフィルタ部の膜厚を例えば１．０〜２．０μｍ（特に、好ましくは１．０〜１．６μｍ）とし、
ブラックマトリックスの膜厚:カラーフィルタ部の膜厚＝１：１〜２とすることが望ましい
　
ｃ．「 Ｆｉｇ．２に戻り、カラーフィルタ層と透明電極との対応関係を説明する。  図に示すように、ブラックマトリックス４３は格子形状となっており、その開口部には、各色のカラーフィルタ４０、４１、４２が配置される。  例えば、開口部の垂直方向の大きさ４７は約２３５〜３００μｍであり、水平方向の大きさ４６は約６０〜８５μｍである。一方、ブラックマトリックスの線幅４４及び４５は約２５〜３０μｍであり、組立後の液晶表示素子を平面的に観察すると、上述のサイズで規定されるカラーフィルタ層が目視される。実際には、カラーフィルタ層が形成されている面には、複数本の走査電極５２が積層されており、各走査透明電極５２のギャップ幅５０が約１２〜１６μｍとブラックマトリックスの線幅の約半分であることから、幅４８は約２４８〜３１６μｍとなる。  また、カラーフィルタ層が形成されていない方の基板には信号透明電極５３が配置されているが、そのギャップ幅５１が各走査透明電極５２のギャップ幅５０と同様に約１２〜１６μｍとブラックマトリックスの線幅の約半分であることから、幅４９は約７２〜１０１μｍとなる。 尚、これらの数値の絶対値は必ずしも本願発明で規定しうる限界値ではない。重要なのは各部材の大きさの比であり、特に重要なのは、所定の条件のもと、次のＦｉｇ．３で説明するブラックマトリックス層４３の上に重畳される部分のカラーフィルタのドット間ギャップ６７の存在である。  Ｆｉｇ．３は、Ｆｉｇ．１及び２に示した本発明による液晶表示装置のＡ−Ａ’の断面図である。 液晶表示素子を形成する一対の透明基板のうち、観察者側に配置される透明基板の内側（液晶側）は、Ｆｉｇ．３に示すように、硝子基板６３の上方に形成されたブラックマトリックス４３と各色カラーフィルタ４０〜４２とからなるカラーフィルタ層と、そのカラーフィルタ層を保護するための保護膜（オーバーコート層）５５と、その上に形成された走査透明電極５２と、配向膜５４と、他方の透明基板との間で液晶を閉じこめるためのシール材６２等とから構成される。 上述したように、上記ブラックマトリックス４３の膜厚５８は約０．７〜１．３μｍと金属性（クロム等）の遮蔽膜よりも１０倍程厚く、各カラーフィルタの中央部分の膜厚５９はブラックマトリックス４３の膜厚５８よりも厚い範囲で約１．０〜２．０μｍ、保護膜５５の膜厚５７は膜厚５９よりも厚い範囲で約２．５μｍ近傍、走査透明電極５２の膜厚５６は約０．２６μｍ近傍となっている。ここで、重要なことは、ブラックマトリックス４３の膜厚５８が約０．７〜１．３μｍと金属性遮蔽膜よりも一桁程度厚いことを前提として、ブラックマトリックス層４３の上に重畳される部分のカラーフィルタのドット間ギャップ６７が生じるようにすることである。」（１２頁１行〜１３頁１６行）　
　
ｄ．「実際にはカラーフィルタ形成後のドット間ギャップ６７の部分は
くさび形状
って、数値的には上述した
山谷段差が表示劣化が許容できる範囲である約０．３μｍ以下となるように、各画素のカラーフィルタのドット間ギャップを形成することが重要である。
　
ｅ．「Ｆｉｇ．１８及び１９は、それぞれ、本発明を適用して実際に製造した液晶表示素子を構成する基板の水平方向の断面図と垂直方向の断面図である。 各図に示すように、ブラックマトリックスの上にきれいにドット間ギャップが形成されている様子が理解できる。」（２３頁８行〜１２行）
　
ｆ．「Ｆｉｇ．２０Ａ〜Ｄは、上述のような構成からなるカラーフィルタの形成方法の一実施例を示す工程図である。以下、工程順に説明する。
  工程１．（Ｆｉｇ．２０Ａ）
  上ガラス基板６３の主表面、すなわち液晶側の面にＳｉＯ2６４を形成し、このＳｉＯ2面にたとえば黒色顔料を分散した感光性樹脂膜を形成し、
フォトリソグラフィ技術を用いて遮蔽膜ＢＭを形成する。
  工程２．（Ｆｉｇ．２０Ｂ）
  遮蔽膜ＢＭをも被って上ガラス基板６３の主表面に感光性アクリル系樹脂に安定顔料を分散した赤顔料レジスト層をスピンまたはロッドコータ法で形成し、
フォトリソグラフィ技術で
赤色カラフィルタ４０が形成される。
　　工程３．（Ｆｉｇ．２０Ｃ）
  次に、感光性アクリル系樹脂等に緑色顔料を分散した緑顔料レジスト層を同様に形成し、
フォトリソグラフィ技術で
緑色カラーフィルタ４１が形成される。
  次に、感光性アクリル系樹脂等に青顔料を分散した青顔料レジスト層を同様に形成し、
フォトリソグラフィ技術で
青色カラーフィルタ４２が形成される。
その周辺がなだらかに形成される
　
ｇ．「なお、それぞれのカラーフィルタを遮蔽膜ＢＭと重畳させているのは、そのカラーフィルタの形成の際に、遮蔽膜ＢＭと離間して形成されバックライト（８０、８４等）からの出射される光の光漏れが生じるのを完全に防ぐための余裕度をもたせる趣旨からである。」（２５頁９行〜１２行）
　
　また、ＦＩＧ．３によれば、
ｈ．「基板上にカラーフィルタが規則正しく整列し、同時にブラックマトリックスからなるカラーフィルタ層において、該カラーフィルタのパターンと該ブラックマトリックスのパターンの端部が重畳してなり、該カラーフィルタと該ブラックマトリックスの端部の重なりによって厚くなった部分を除く各カラーフィルタの膜厚はブラックマトリックスの膜厚よりも厚い、カラーフィルタ層」が見て取れる。
　
　ここで、着色画素又はブラックマトリックスは「顔料分散型感光性樹脂」で構成されており（摘記ｆ）、また、カラーフィルタ形成後のドット間ギャップ６７の部分はくさび形状等となり、カラーフィルタの中央部の膜厚５９と隣接する画素間のカラーフィルタ（即ち、ブラックマトリックス４５）の重なりによって厚くなった部分の膜厚６８との膜厚差（山谷段差）が表示劣化が許容できる範囲である約０．３μｍ以下である（摘記ｄ）。
　
　したがって、上記ａ〜ｈによれば、引用文献には、
「基板上にカラーフィルタが規則正しく整列し、同時にブラックマトリックスからなるカラーフィルタ層において、少なくとも該カラーフィルタ又は該ブラックマトリックスが顔料分散型感光性樹脂で構成され、該カラーフィルタのパターンと該ブラックマトリックスのパターンの端部が重畳してなり、該カラーフィルタの中央部の膜厚と該カラーフィルタと隣接するブラックマトリックスの端部の重なりによって厚くなった部分の膜厚との膜厚差（山谷段差）が、０．３μｍ以下であり、前記盛り上がった部分を除く各カラーフィルタの膜厚はブラックマトリックスの膜厚よりも厚い、カラーフィルタ層」（以下、「引用発明」という。）が記載されていると認める。
　
２．３　対比・判断 
　本件補正発明と引用発明とを対比すると、
　引用発明の「カラーフィルタ」、「ブラックマトリックス」、「カラーフィルタ層」及び「カラーフィルタの中央部の膜厚と該カラーフィルタと隣接するブラックマトリックスの端部の重なりによって厚くなった部分の膜厚との膜厚差（山谷段差）」は、本件補正発明の「着色画素」、「ブラックマトリックス」、「カラーフィルター」及び「着色画素と該ブラックマトリックスの端部が重なった部分の（各着色画素の膜厚に対しての）盛り上がり」にそれぞれ相当する。
　　
　したがって、両者は、
「基板上に着色画素が規則正しく整列し、同時にブラックマトリックスからなるカラーフィルターにおいて、少なくとも該着色画素又は該ブラックマトリックスが顔料分散型感光性樹脂で構成され、該着色画素のパターンと該ブラックマトリックスのパターンの端部が重畳してなり、該着色画素と該ブラックマトリックスの端部が重なった部分の盛り上がりが各着色画素の膜厚に対して、０．３μｍ以下である、カラーフィルター」の点で一致し、以下の点で相違している。
　
【相違点１】：本件補正発明は、着色画素のパターンとブラックマトリックスのパターンの端部の重畳を、「顔料分散型感光性樹脂のプリベーク温度を制御すること」により行うのに対して、引用発明は、この点について特に記載していない点。　　
　
【相違点２】：本件補正発明は、着色画素のパターンとブラックマトリックスのパターンの端部の重畳寸法が１．０μｍ乃至９．０μｍであるのに対して、引用発明は、着色画素のパターンとブラックマトリックスのパターンの端部の重畳寸法については記載していない点。
　
【相違点３】：本件補正発明は、盛り上がった部分を除く各着色画素の膜厚とブラックマトリックスの膜厚が略同一であるのに対して、引用発明は、前記盛り上がった部分を除く各着色画素の膜厚はブラックマトリックスの膜厚よりも厚い点。　　
　
　上記相違点について検討する。
　
【相違点１】について
　本願明細書によれば、「顔料分散型感光性樹脂のプリベーク温度を制御することにより着色画素のパターンとブラックマトリックスのパターンの端部を重畳すること」とは、顔料分散型感光性樹脂をフォトリソグラフィ工程によりパターニングする際、端部にテーパーが形成されるよう、プリベーク温度を制御して（具体的には９０℃、５分間加熱）、各着色画素とブラックマトリックスを重畳することであると認められる（本願明細書【００１５】、【００１８】）。
　
　一方、引用文献によれば、カラーフィルタとブラックマトリックスは、顔料分散型感光性樹脂をフォトリソグラフィ工程によりパターニングすることにより形成され（摘記ｆ）、また、その際、カラーフィルタのパターンの端部は、「
くさび形状
周辺がなだらか
　また、顔料分散型感光性樹脂を用いてカラーフィルターパターンを形成する際には、「プリベーク」処理を行うこと、及びその温度条件などが、６０〜９０℃、３〜１０分間程度であることが技術常識であるから（例えば、特開平６−３０８３１５号公報【００１５】、特開平６−３０８３１６号公報【００１５】参照）、これに照らせば、引用発明においても、フォトリソグラフィ工程により顔料分散型感光性樹脂をパターニングして各着色画素とブラックマトリックスを形成する際、着色画素のパターンの端部にテーパーが形成され、各着色画素とブラックマトリックスの重なった部分の盛り上がりが、０．３μｍ以下となるようなプリベーク温度でプリベークを行い、各着色画素とブラックマトリックスを重畳している、と見ることができる。
　
　したがって、本件補正発明と引用発明とは、「顔料分散型感光性樹脂のプリベーク温度を制御すること」により、着色画素のパターンとブラックマトリックスのパターンの端部を重畳する点で相違するところはなく、上記相違点１は、実質上の相違点ではない。
　　　
【相違点２】について
　引用文献によれば、山谷段差を０．３μｍ以下となるように着色画素とブラックマトリックスの重畳を行う旨記載されている（摘記ｄ）。また、重畳寸法の多少が山谷段差に影響を及ぼすことは当業者に自明である。したがって、山谷段差を０．３μｍ以下となるようにプリベーク温度と相まって、重畳寸法を適切な範囲に調整することは、当業者が適宜行い得る程度のことである。
　さらに、本願明細書の記載によるも、重畳寸法を１．０μｍ乃至９．０μｍと限定した点に、山谷段差を０．４μｍ以下とすること以外に格別な臨界的意味を見出せない。
　よって、上記相違点２は当業者が適宜設計し得る事項にすぎない。
　
【相違点３】について
　引用文献によれば、「ブラックマトリックスの膜厚：カラーフィルターの膜厚＝１：１〜２とすることが望ましい」（摘記ｂ）と記載されており、これによれば、各着色画素の膜厚がブラックマトリックスの膜厚より厚い場合だけでなく、両者の膜厚が同じである場合も望ましい旨示唆されているから、上記相違点３は当業者が適宜実施することができる程度の事項であり、格別ではない。
　
　そして、本件補正発明の効果は、引用文献及び周知技術から当業者が当然予測し得る範囲のものである。
　                                 
　したがって、本件補正発明は、引用文献に記載された発明及び周知技術に基いて、当業者が容易に発明をすることができたものであるから、特許法第２９条第２項の規定により特許出願の際独立して特許を受けることができないものである。　
　
２．４　むすび 
 　以上のとおり、本件補正は、特許法第１７条の２第５項で準用する同法第１２６条第５項の規定に違反するから、特許法第１５９条第１項で読み替えて準用する特許法第５３条第１項の規定により却下すべきものである。 
 　 
３．本件発明について 
　平成１６年１１月３０日付の手続補正は、上記のとおり却下されたので、本件の請求項に係る発明は、平成１６年９月６日付の手続補正書により補正された明細書及び図面の記載からみて、その特許請求の範囲の請求項１〜３に記載された事項により特定されるとおりのものであると認められるところ、その請求項２に係る発明（以下、「本件発明」という）は、以下のとおりである。 
　
「【請求項２】基板上に着色画素が規則正しく整列し、同時にブラックマトリックスからなるカラーフィルターにおいて、該着色画素のパターンと該ブ
ラックマトリックスのパターンの端部が重畳してなり、その重畳寸法が１．０μｍ乃至９．０μｍであり、該着色画素と該ブラックマトリックスの端部
が重なった部分の盛り上がりが各着色画素の膜厚に対して、０．４μｍ以下であり、前記盛り上がった部分を除く各着色画素の膜厚とブラックマトリックスの膜厚が略同一であることを特徴とするカラーフィルター。」
　 
３．１　引用例記載の発明
　原査定の理由に引用された引用文献及びその記載事項は、前記「２．２」に記載したとおりである。
　
３．２　対比・判断 
　本件補正発明は、本件発明の請求項２に係る「着色画素又はブラックマトリックス」について、「少なくとも該着色画素又は該ブラックマトリックス
が、顔料分散型感光性樹脂で構成され」ること、及び「着色画素のパターン
とブラックマトリックスのパターンの端部の重畳」について、「顔料分散型
感光性樹脂のプリベーク温度を制御することにより」行われること、をそれぞれ限定するものに相当するから、本件発明の構成要件を全て含み、さらにその構成要件の一部を限定・具体化したものに相当する本件補正発明が、前記「２．３」に記載したとおり、引用文献に記載された発明及び周知技術に基いて、当業者が容易に発明をすることができたものであるから、本件発明も、同様の理由により引用文献に記載された発明及び周知技術に基いて、当業者が容易に発明をすることができたものである。 
 　 
３．３　むすび 
　以上のとおり、本件発明は、引用文献に記載された発明及び周知技術に基いて当業者が容易に発明をすることができたものであるから、特許法第２９条第２項の規定により特許を受けることができない。
 　よって、結論のとおり審決する。